(57)【要約】【課題】様々な大きさの接眼レンズに装着し、かつ、目当て部材を顔に密着させることが可能、かつ、多様なアイレリーフに対応可能な接眼レンズ目当てを提供する。【解決手段】接眼レンズ目当て１は、アイカップ１１、装着部材１２、および目当て部材１３の３つの部材から構成され、そのうちの装着部材１２は、シリコンなどの可撓性を有する素材からなり、外観が円錐台形状になるように形成された、ほぼ一定の厚さの周壁を有している。装着部材１２の周壁には、挿入口１２Ａの周全体をほぼ３等分した位置に、挿入口１２Ａから接眼レンズの挿入方向に向けて切り欠き１２ａ、１２ｂ、１２ｃが形成されている。切り欠き１２ａ、１２ｂ、１２ｃが形成されていることによって、装着部材１２の周壁を、２つの切り欠きに挟まれる部分毎に外側に広げることができる。本発明は、光学機器の接眼レンズに装着される接眼レンズ目当てに適用することができる。【選択図】図１
2012230316.tif 000002
【特許請求の範囲】
【請求項１】
接眼レンズに装着される可撓性のある素材よりなる部材であって、前記接眼レンズの挿入口となる環状の先端部から前記接眼レンズの挿入方向に向かうにつれて、前記接眼レンズが納まる内部の空間が広くなるように形成された周壁を有し、前記周壁に、前記先端部から前記接眼レンズの挿入方向に切り欠きが形成された装着部材と、
前記装着部材に対して前記先端部の反対側に接合されるアイカップと、
反発性のある素材よりなり、前記アイカップの内側に嵌め込まれる目当て部材と
を備えることを特徴とする接眼レンズ目当て。
【請求項２】
請求項１に記載の接眼レンズ目当てにおいて、
前記アイカップは、前記装着部材との接合部から縁部までの高さが、一点において最大となり、前記一点から離れるにつれて低くなるように形成された周壁を有し、
前記アイカップの前記周壁には、前記一点と前記装着部を結ぶ直線を基準として対称に、所定の間隔を空けて複数の開口部が形成される
ことを特徴とする接眼レンズ目当て。
【請求項３】
請求項１に記載の接眼レンズ目当てにおいて、
前記装着部材の前記周壁には複数の前記切り欠きが等間隔で形成される
ことを特徴とする接眼レンズ目当て。
【請求項４】
請求項１に記載の接眼レンズ目当てにおいて、
前記装着部材の前記内部の空間にある所定の面であって、前記挿入口に挿入された前記接眼レンズの先端が当接する面に溝が形成される
ことを特徴とする接眼レンズ目当て。
【発明の詳細な説明】
【技術分野】
【０００１】
本発明は、接眼レンズ目当てに関し、特に、様々な大きさの接眼レンズに装着し、かつ、目当て部材を顔に密着させることが可能、かつ、多様なアイレリーフに対応可能な接眼レンズ目当てに関する。
【背景技術】
【０００２】
従来、光学機器の接眼部には、観察者が光学機器の最適な使用条件に対処するように、接眼レンズと眼球との距離を調整できるような目当て構造が設けられている。この目当て構造は、外光の侵入を阻止する役割も果たすため、通常、プラスチック素材や硬質のゴム材料等で形成されている。観察者は、目の周囲を目当て構造に押し当てるようにして使用することで、外光の侵入を阻止することができる。
【０００３】
例えば、特許文献１には、周囲から接眼レンズへ入る迷光を避ける為、片側に壁面を持つ目当て部材を、観察者の状況に合わせた位置に配置することができる技術が開示されている。
【先行技術文献】
【特許文献】
【０００４】
【特許文献１】特開２００７−１９９３３５号公報
【発明の概要】
【発明が解決しようとする課題】
【０００５】
しかしながら、特許文献１の技術では、観察者の個人差による顔の大きさ、眼の位置などにより、目当て部材が適正な位置に係止できないため、目当て部を顔面に密着させることは難しく、接眼レンズへ入る迷光を避けることができない課題があった。
【０００６】
また、接眼レンズの口径の大きさは、メーカ毎に異なり、様々な大きさの接眼レンズに装着することが可能な目当て部材は提案されていない課題があった。さらに、接眼レンズによってアイレリーフが異なることから、１つの接眼目当てを様々な種類の接眼レンズに対応させることが困難であった。ここで、アイレリーフは、眼に最も近いレンズ面の頂点から出射瞳までの距離をいう。
【０００７】
本発明の目的は、様々な大きさの接眼レンズに装着し、かつ、目当て部材を顔に密着させることが可能な接眼レンズ目当てを提供することである。また、多様なアイレリーフに対応可能な接眼レンズ目当てを提供することである。
【課題を解決するための手段】
【０００８】
本発明の一側面は、接眼レンズに装着される可撓性のある素材よりなる部材であって、前記接眼レンズの挿入口となる環状の先端部から前記接眼レンズの挿入方向に向かうにつれて、前記接眼レンズが納まる内部の空間が広くなるように形成された周壁を有し、前記周壁に、前記先端部から前記接眼レンズの挿入方向に切り欠きが形成された装着部材と、前記装着部材に対して前記先端部の反対側に接合されるアイカップと、反発性のある素材よりなり、前記アイカップの内側に嵌め込まれる目当て部材とを備えることを特徴とする。
【発明の効果】
【０００９】
本発明によれば、様々な大きさの接眼レンズに装着し、かつ、目当て部材を顔に密着させることが可能な接眼レンズ目当てを提供することができる。また、多様なアイレリーフに対応可能な接眼レンズ目当てを提供することである。
【図面の簡単な説明】
【００１０】
【図１】本実施形態に係る接眼レンズ目当ての外観斜視図である。
【図２】顕微鏡において利用された場合の様子を示す図である。
【図３】アイカップの側面図である。
【図４】アイカップ、装着部材、目当て部材の接合前の状態を示す側面図である。
【図５】装着部材の内部の溝を示す図である。
【図６】接眼レンズ目当ての断面図である。
【図７】接眼レンズに装着された状態の接眼レンズ目当てを示す図である。
【図８】接眼レンズ目当ての装着例を示す図である。
【図９】接眼レンズ目当ての使用例を示す図である。
【図１０】接眼レンズ目当ての使用例を示す他の図である。
【図１１】第１の変形例の接眼レンズ目当てを側面から示す断面図である。
【図１２】図１１に示す接眼レンズ目当てに接眼レンズを装着した様子を示す図である。
【図１３】第２の変形例の接眼レンズ目当てを側面から示す断面図である。
【図１４】図１３に示す接眼レンズ目当てにリング部材を嵌め込んだ様子を示す断面図である。
【図１５】第３の変形例の接眼レンズ目当てを側面から示す断面図である。
【図１６】第４の変形例の接眼レンズ目当てを側面から示す断面図である。
【発明を実施するための形態】
【００１１】
［接眼レンズ目当ての構成］
図１は、本発明の実施の形態に係る接眼レンズ目当て１の外観の構成例を示す図である。
【００１２】
接眼レンズ目当て１は、顕微鏡の接眼レンズ、双眼鏡の接眼レンズ、望遠鏡の接眼レンズなどの、光学機器の例えば円筒状の形状を有する接眼レンズに装着されることによって使用されるものである。たとえば、顕微鏡の場合、２個の接眼レンズ目当て１が、図２に示すように接眼レンズに装着され、観測者は、左右の目付近を、それぞれ接眼レンズ目当て１に押し当てるようにして観察する。すなわち図１（Ａ）は、接眼レンズ目当て１を、観察者の顔と接する側から見た斜視図であり、図１（Ｂ）は、接眼レンズ目当て１を、接眼レンズが挿入される挿入口側から見た斜視図である。以下、適宜、挿入口の方向を前方（先端方向）とし、挿入口と反対の、観察者の顔が位置する方向を後方として説明する。前方から後方に向かう方向が、接眼レンズの挿入方向になる。
【００１３】
接眼レンズ目当て１は、アイカップ１１、装着部材１２、および目当て部材１３の３つの部材から構成される。
【００１４】
アイカップ１１は、接眼レンズ目当て１をのぞき込んだときに観察者の目の周りに縁全体が密着するように湾曲している周壁を有する。この例の場合、この周壁は、シリコンなどの可撓性を有する素材で形成されており位置Ｐ１から位置Ｐ３までの一部の範囲を除いて、装着部材１２との接合部分であるベース部分から後方に延びるように形成されたほぼ一定の厚さの周壁が設けられている。
【００１５】
さらに具体的には、アイカップ１１を接眼レンズの挿入方向に見たときのベース部分の形状は環状になっており、位置Ｐ１と位置Ｐ３は、断面の形状が環状であり、所定の高さを有するベース部分上の位置である。アイカップ１１の周壁の高さは、周壁の一端である位置Ｐ１から縁上の位置Ｐ２までほぼ一定の第１の増加率で徐々に高くなり、位置Ｐ２から縁上の位置Ｐ６まで、その第１の増加率より低い第２の増加率で徐々に高くなる。位置Ｐ６は、位置Ｐ２と、高さが最大になる縁上の位置Ｐ５の間のほぼ中央の位置である。また、周壁の高さは、位置Ｐ６から、位置Ｐ２−Ｐ６間の第２の増加率より高い第３の増加率で高くなり、縁上の位置Ｐ５において最大になる。
【００１６】
周壁の他端である位置Ｐ３を起点として見たときも同様に、アイカップ１１の周壁の高さは、位置Ｐ３から縁上の位置Ｐ４までほぼ一定の第１の増加率で徐々に高くなり、位置Ｐ４から縁上の位置Ｐ７まで、第１の増加率より低い第２の増加率で徐々に高くなる。位置Ｐ７は、位置Ｐ４と位置Ｐ５の間のほぼ中央の位置である。また、周壁の高さは、位置Ｐ７から、位置Ｐ４−Ｐ７間の第２の増加率より高い第３の増加率で高くなり、縁上の位置Ｐ５において最大になる。
【００１７】
位置Ｐ５は、位置Ｐ２−Ｐ４間（位置Ｐ４−Ｐ２間）のほぼ中央の位置である。このように、アイカップ１１の周壁は一点において高さが最大になるように形成されている。
【００１８】
また、アイカップ１１の周壁は、位置Ｐ２−Ｐ６間の縁を含む部分と位置Ｐ４−Ｐ７間の縁を含む部分において外側に広がるように形成され、その先の位置Ｐ６−Ｐ７間の縁を含む部分において、高さが高くなるにつれて徐々に広がりを抑えるように形成されている。
【００１９】
以下、適宜、アイカップ１１の周壁のうち、高さが第２の増加率で高くなるとともに縁が外側に広がるように形成されている位置Ｐ２−Ｐ６間の縁を含む部分と位置Ｐ４−Ｐ７間の縁を含む部分をそれぞれ羽部分といい、高さが最大となる位置Ｐ５を含む、位置Ｐ６−Ｐ７間の縁を含む部分を山部分という。周壁が形成されていない、位置Ｐ１−Ｐ３間の部分は谷部分という。
【００２０】
図１（Ｂ）に示すように、アイカップ１１の周壁の羽部分には、位置Ｐ５と、アイカップ１１と装着部材１２との接合部を結ぶ直線Ｌを基準として対称に、所定の間隔を空けて開口部１１ａと開口部１１ｂが形成されている。
【００２１】
開口部１１ａは、図３に示すように、アイカップ１１を側面から見たときに、アイカップ１１の底面とほぼ並行な線１１ａ１と、位置Ｐ２−Ｐ６間の縁のラインとほぼ平行な曲線１１ａ２と、底面側から縁側に向かうにつれて谷部分の方向に傾いている線１１ａ３で囲む範囲を切り抜いた略三角形の形状を有する。開口部１１ｂも同様の形状を有する。
【００２２】
開口部１１ａと開口部１１ｂがこのような形状を有し、後述するように、反発性のある素材からなる目当て部材１３がアイカップ１１の内側に嵌め込まれることから、観察者が自身の目付近を目当て部材１３に押し当てたとき、図３の矢印Ａ１の方向に押圧力が働き、周壁の両方の羽部分が、外側に広がるとともに矢印Ａ２で示すように底面側にたわむように変形する。また、羽部分が変形することによって張力が働き、矢印Ａ３で示すように山部分の先端付近が谷部分の方向に傾斜し、これにより、観察者のこめかみ部分に山部分がより密着することになる。
【００２３】
また、観察者が、自身の目付近をアイカップ１１及び目当て部材１３に対する押し当て加減を自身で調整することによって、適切なアイレリーフを維持することが可能になる。これは、アイカップ１１が、開口部１１ａ，１１ｂを有することによって大きい可動域を有しているということと、目当て部材１３が低反発な素材よりなる部材であることによって実現されるものである。
【００２４】
図１の説明に戻り、装着部材１２は、シリコン樹脂などの可撓性を有する素材からなり、外観が円錐台形状になるように形成されたほぼ一定の厚さの周壁を有している。円錐台形状の底面側にアイカップ１１が接合され、上面側に、挿入口１２Ａが形成される。周壁の厚さがほぼ一定であるから、装着部材１２の周壁に囲まれる内部の空間は、挿入口１２Ａからアイカップ１１側の方向（接眼レンズの挿入方向）に向かうにつれて徐々に広くなる。
【００２５】
装着部材１２の周壁には、挿入口１２Ａの周全体をほぼ３等分した位置に、挿入口１２Ａからアイカップ１１側の方向（接眼レンズの挿入方向）に向けて切り欠き１２ａ、１２ｂ、１２ｃが形成されている。切り欠き１２ａ、１２ｂ、１２ｃが形成されていることによって、装着部材１２の周壁を、２つの切り欠きに挟まれる部分毎に外側に広げることができ、挿入口１２Ａより断面が大きい接眼レンズにも装着部材１２を装着することが可能になる。
【００２６】
目当て部材１３は、低反発ウレタンなどの反発性のある素材からなり、接眼レンズの挿入方向に見たときの断面の形状がドーナツ状になっている。目当て部材１３の底面側（装着部材１２と接する面側）は平面状になっており、観察者の目の周りに密着する部分である上側はＲ形状（丸みを帯びた形状）になっている。
【００２７】
ここで、以上のような外観構成を有するアイカップ１１、装着部材１２、および目当て部材１３の接合の仕方について説明する。図４は、アイカップ１１、装着部材１２、目当て部材１３の接合前の状態を示す側面図である。
【００２８】
図４に示すように、アイカップ１１のベース部分の外径は、装着部材１２の底面部分の外径とほぼ同じである。図中の円Ｂ１で囲んでいる部分が示すように、アイカップ１１のベース部分の内側には、周壁表面から若干突出した位置に、溝が内側を向くように凹部が形成されており、装着部材１２の底面部分の外側には、周壁表面から若干凹ませた位置に、外側を向くように凸部が形成されている。アイカップ１１のベース部分の内側に形成された凹部全体と、装着部材１２の底面部分の外側に形成された凸部全体が嵌合することにより、装着部材１２に対してアイカップ１１が固定される。
【００２９】
図４の円Ｂ２で囲んで示すように、装着部材１２の底面部分の内径は、アイカップ１１のベース部分の内径より若干狭い。装着部材１２の底面部分の内径より断面が大きい接眼レンズが挿入口１２Ａに挿入されたとき、その接眼レンズの先端が、装着部材１２の底面部分の、装着部材１２の内部の空間にある所定面である内面１２Ｂに当接するようになっている。
【００３０】
装着部材１２の内部の空間から接眼レンズの挿入方向に見た場合、内面１２Ｂの形状は図５に示すようにドーナツ状となり、その表面には同心円の溝が複数形成されている。図５において内面１２Ｂの表面を鋸状に示していることは、内面１２Ｂの表面に複数の溝が形成されていることを表す。同心円の溝が複数形成されていることによって、先端が内面１２に当接する位置まで接眼レンズが挿入された状態において、装着部材１２のずれを抑えることができる。
【００３１】
図４に示すように、目当て部材１３の周壁の外径は、アイカップ１１のベース部分の外径、および、装着部材１２の底面側の外径とほぼ同じか、若干大きい程度の長さである。反発性のある素材よりなることもあって、矢印で示すようにアイカップ１１の内側に嵌め込むことによって、目当て部材１３がアイカップ１１に固定されるようになっている。なお、目当て部材１３の周壁は、高さが水平ではなく、一方が高く、他方が低くなるように形成されている。
【００３２】
図６は、接眼レンズ目当て１を側面から示す断面図である。
【００３３】
図６に示すように、装着部材１２にアイカップ１１を接合し、アイカップ１１に目当て部材１３を嵌め込むことによって接眼レンズ目当て１が構成される。装着部材１２の底面部分の内径は目当て部材１３の周壁の内径とほぼ同じ長さである。装着部材１２にアイカップ１１を接合し、アイカップ１１に目当て部材１３を嵌め込んだとき、装着部材１２の底面部分の内側と目当て部材１３の周壁の内側は連続性のある面となり、連続性のある面により囲まれる孔部１Ａが形成される。孔部１Ａは、接眼レンズ目当て１が接眼レンズに装着されたときに、接眼レンズから出射した光を観察者の目に導く。接眼レンズに装着された状態の接眼レンズ目当て１を図７に示す。
【００３４】
図７の接眼レンズ２は、顕微鏡の接眼レンズ、双眼鏡の接眼レンズ、望遠鏡の接眼レンズなどの光学機器の接眼レンズである。これらの接眼レンズの他に、ビデオカメラ等の接眼レンズに接眼レンズ目当て１が装着されるようにしてもよい。
【００３５】
図８（Ａ）〜図８（Ｃ）は、それぞれ口径の大きさが異なる接眼レンズ２への接眼レンズ目当て１の装着例を示す図である。
【００３６】
図８（Ａ）の例においては、切り欠き部１２ａが閉じており、図８（Ｂ）の例においては、切り欠き部１２ａが大きく開いており、図８（Ｃ）の例においては、切り欠き部１２ａがやや開いている。これらの図からも分かる通り、接眼レンズ目当て１の装着部材１２がシリコンなどでできており、かつ、三つ又に割れたカップ型の形状を有していることによって、接眼レンズ２を被覆するようにして接眼レンズ目当て１を装着し、接眼レンズ２に固定することができる。つまり、切り欠き部１２ａ、１２ｂ、１２ｃが変形するため、様々なサイズおよび形状の接眼レンズに装着することが可能である。
【００３７】
［接眼レンズ目当ての使用例］
図９および図１０を参照して、接眼レンズ目当て１の使用例について説明する。図９は、接眼レンズ２に装着した接眼レンズ目当て１に目付近を当てている観察者の状態を横方向から示す図である。図１０は、接眼レンズ２に装着した接眼レンズ目当て１に目付近を当てている観察者の状態を光学機器側から示す図である。
【００３８】
図９および図１０に示すように、接眼レンズ目当て１に目付近を当てた場合、アイカップ１１の縁全体は観察者の目の回りに密着する。また、観察者が自身の目付近を目当て部材１３に押し当てたとき、周壁の両方の羽部分が外側に広がり、山部分の先端付近が観察者のこめかみ部分により密着する。これにより、より観察のしやすい環境（たとえば、視線の安定）を実現することができる。また、反発性のある素材である目当て部材１３が目付近に隙間なく密着することで、外光の侵入を阻止することができる。なおこの接眼レンズ目当て１は、顕微鏡の接眼レンズ、双眼鏡の接眼レンズ、望遠鏡の他、ビデオカメラのファインダにも利用することもできる。
【００３９】
［変形例］
１．以上においては、装着部材１２の内面１２Ｂの表面に複数の溝を形成することで装着部材１２のずれを軽減するようにしたが、これに限らず、より確実にずれを抑えるために、装着部材１２の内面に段差を形成するようにしてもよい。
【００４０】
図１１は、第１の変形例の接眼レンズ目当て１を側面から示す断面図である。なお、基本的な構成は、図６に示した接眼レンズ目当て１と同様であり、装着部材１２の内部の空間にある内面１２Ｂの形状が図４を参照して説明した構成と異なる。すなわち、内面１２Ｂが、面１２Ｂ１と、挿入口１２Ａを上側として面１２Ｂ１より一段下がった面である面１２Ｂ２より構成され、接眼レンズの先端が当接する位置に、円Ｃ１で囲んで示すように段差が形成されている。
【００４１】
図１２に示すように、装着部材１２に当接するように、接眼レンズ２が矢印Ａ１で示す方向に挿入される。接眼レンズ２の先端は、面１２Ｂ１と面１２Ｂ２により構成される段差に嵌め込まれる形で装着されることになる。これによっても、接眼レンズ２が挿入されたときに装着部材１２のずれを確実に抑えることができる。
【００４２】
２．図１２に示した例では、面１２Ｂ１と面１２Ｂ２により構成される段差が埋め込み式で成形されるようにしたが、これに限らず、別のパーツにすることも可能である。
【００４３】
図１３は、第２の変形例の接眼レンズ目当て１を側面から示す断面図である。図１３に示すように、面１２Ｂ１と面１２Ｂ２により構成される段差が別のパーツで構成される。図１３の例の場合、内面１２Ｂに段差を設けずに、内面１２Ｂに接するようにリング状の部材であるリング部材７１を嵌め込み、リング部材７１を他のリング部材７２，７３と交換することで、新たに設計された接眼レンズや、顕微鏡以外の接眼レンズに対応可能とすることができる。図１４（Ａ）は、リング部材７１が嵌め込まれた様子を示し、図１４（Ｂ）は、リング部材７２が嵌め込まれた様子を示し、図１４（Ｃ）は、リング部材７３が嵌め込まれた様子を示している。このように、リング部材７１，７２，７３によっても、図１１および図１２に示したような段差を形成することができ、より確実に装着部材１２のずれを抑えることができる。
【００４４】
３．また、目当て部材１３は、反発性のある素材よりなることもあって、アイカップ１１の内側に嵌め込むことによって固定されるようになっているが、目当て部材１３のアイカップ１１への嵌め込みをより確実に固定するために、装着部材１２の表面に若干突出した係止部を形成するようにしてもよい。
【００４５】
図１５（Ａ）は、第３の変形例の接眼レンズ目当て１を側面から示す断面図である。なお、基本的な構成は、図６や図１１に示した接眼レンズ目当て１と同様であり、装着部材１２の目当て部材１３と当接する表面１２Ｂに、円Ｄ１，Ｄ２で囲んで示すように係止部１２Ｂ３が形成されている。図１５（Ｂ）は、装着部材１２の係止部１２Ｂ３の形状を分かりやすくするために部分拡大および斜視図にしたものである。
【００４６】
図１５（Ａ）および図１５（Ｂ）に示すように、係止部１２Ｂ３は、装着部材１２の目当て部材１３と当接する表面１２Ｂの内周から目当て部材１３側の方向に、ほぼ一定の厚さ、かつ、所定の高さの周壁が設けられ、その周壁の縁部の厚みが増すように形成されている。これにより、反発性のある素材よりなる目当て部材１３の内壁に、装着部材１２の係止部１２Ｂ３が食い込むようにして固定され、脱落を防止するとともに、目当て部材１３がアイカップ１１の中央の穴からずれてしまうことを防止することができる。
【００４７】
４．図１５に示した例では、装着部材１２の表面に、ほぼ一定の厚さで所定の高さの周壁、かつ、その周壁の縁部の厚みが増した係止部１２Ｂ３を形成することにより、目当て部材１３のアイカップ１１への嵌め込みをより確実に固定するようにしたが、本発明は、装着部材１２の表面の一部が目当て部材１３に食い込むような形状であれば、これに限られるものではない。
【００４８】
図１６は、第４の変形例の接眼レンズ目当て１を側面から示す断面図である。なお、基本的な構成は、図１５に示した接眼レンズ目当て１と同様であり、装着部材１２の目当て部材１３と当接する表面１２Ｂに、円Ｅで囲んで示すように係止部１２Ｂ４が形成されている。図１６（Ｂ）は、装着部材１２の係止部１２Ｂ４の形状を分かりやすくするために部分拡大および斜視図にしたものである。
【００４９】
図１６（Ａ）および図１６（Ｂ）に示すように、係止部１２Ｂ４は、装着部材１２の目当て部材１３と当接する表面１２Ｂの内周から目当て部材１３側の方向に、一部の範囲を除いて、ほぼ一定の厚さの周壁が設けられ、一点において高さが最大になるように形成されている。また周壁の高さが最大となる位置を含む部分において周壁が外側に広がるように形成されている。これにより、反発性のある素材よりなる目当て部材１３の内壁に、装着部材１２の係止部１２Ｂ４が食い込むようにして固定され、脱落を防止するとともに、目当て部材１３がアイカップ１１の中央の穴からずれてしまうことを防止することができる。
【００５０】
また図１６（Ａ）および図１６（Ｂ）に示す通り、係止部１２Ｂ４は、アイカップ１１の形状に類似しており、外観もデザイン性のあるものになっている。
【００５１】
５．構造上、目当て部材１３により遮光性が確保できるので、目当て部材１３の色を遮光性をより確保できる黒色等にすれば、アイカップ１１または装着部材１２の色のデザインを、カラフルなもの（たとえば、赤、黄色、模様）にすることができる。
【００５２】
この発明は、上記実施の形態そのままに限定されるものではなく、実施段階ではその要旨を逸脱しない範囲で構成要素を変形して具体化したり、上記実施の形態に開示されている複数の構成要素を適宜組み合わせたりすることにより種々の発明を形成できる。例えば、実施の形態に示される全構成要素から幾つかの構成要素を削除してもよい。さらに、異なる実施の形態に亘る構成要素を適宜組み合わせても良い。
【符号の説明】
【００５３】
１  接眼レンズ目当て
１１  アイカップ
１２  装着部材
１３  目当て部材
【図１】
2012230316.tif 000003
【図２】
2012230316.tif 000004
【図３】
2012230316.tif 000005
【図４】
2012230316.tif 000006
【図５】
2012230316.tif 000007
【図６】
2012230316.tif 000008
【図７】
2012230316.tif 000009
【図８】
2012230316.tif 000010
【図９】
2012230316.tif 000011
【図１０】
2012230316.tif 000012
【図１１】
2012230316.tif 000013
【図１２】
2012230316.tif 000014
【図１３】
2012230316.tif 000015
【図１４】
2012230316.tif 000016
【図１５】
2012230316.tif 000017
【図１６】
2012230316.tif 000018